(57)【要約】【課題】冷蔵施設の管理維持コストのさらになる軽減を可能にすること、また、冷蔵施設の規模拡大に伴うダクト延長に対しても有効な送風ダクトを提供する。【解決手段】非通気性の上部シート地１ａと下部シート地１ｂの長手方向両辺縁同士を挟み込み接合することで形成される単数のダクト部材１を複数組を繋ぎ止め接続することで、冷却ユニットＢから庫内天井ｄに沿わせて設置される繊維製で吹出し口２を有する送風ダクトＡを構成する。【選択図】図２
2013160452.tif 000002
【特許請求の範囲】
【請求項１】
空調ユニットからの空調流の吹出し口を備えて室内天井に設置される繊維製の送風ダクトであって、
非通気性の２枚の帯状シート地の長手方向両辺縁同士を挟み込み接合することで筒状に形成される単数のダクト部材を、前記室内天井に沿わせて複数組を連結・分離可能に繋ぎ止め接続することで構成されることを特徴とする送風ダクト。
【請求項２】
前記帯状シート地は、樹脂系のコート加工を施してなる上部シート地と下部シート地とからなり、
前記下部シート地は、前記上部シート地の帯幅よりも幅広に形成されて下方に略弓なり形状を成して前記ダクト部材が断面視で略三日月筒状に形成されることを特徴とする請求項１に記載の送風ダクト。
【請求項３】
前記ダクト部材は、端部開口縁に係脱自在な係着手段を備えて複数組が連結・分離可能に繋ぎ止め接続されるように形成され、かつ、ダクト最終端における端部開口が前記係着手段により着脱可能に取り付けられるダクト終端蓋によって閉蓋されることを特徴とする請求項１または請求項２に記載の送風ダクト。
【請求項４】
前記ダクト部材は、長手方向に吹出し口を備えるとともに、該吹出し口をその長手方向に区分された複数の開閉蓋により開閉可能と成して、該開閉蓋の選択取り外しによって前記吹出し口をその長手方向の選択区間において開口するように形成されていることを特徴とする請求項１〜３のいずれかに記載の送風ダクト。
【発明の詳細な説明】
【技術分野】
【０００１】
本発明は、送風ダクトに係り、特に、被保管物、例えば、野菜などの農作物や魚などの水産物などを低温貯蔵状態で保管しておくための大型冷蔵倉庫、冷蔵保管庫、そして低温食品物流センターなどの低温貯蔵施設の冷蔵倉庫の庫内天井への設置に有効な送風ダクトに関する。
【背景技術】
【０００２】
低温貯蔵施設（例えば、Ｆ級と呼ばれている−３０°ＣやＣ級と呼ばれている−１０°Ｃなどの冷蔵倉庫）においては、冷却ユニット（冷気発生装置）に一端側が直結された送風ダクトを庫内天井に沿わせて設置して、送風ダクトを通して庫内に冷気を送風することで、冷気が庫内全域に万遍、かつ、均一に行き渡るようにしている。
【０００３】
ところで、冷却ユニットから庫内全域に冷気を送風するために庫内天井に沿わせて設置される送風ダクトとしては、通気性を有する繊維素材を用いて筒状に形成されている。これにより、冷却ユニットから送風ダクト内に圧送される冷気がダクト全表面の細かい多数の織目から庫内に拡散するように吹き出すようにしている（例えば、特許文献１〜特許文献３などを参照）。
【０００４】
また、通気性を有する繊維素材（織布）を用いて筒状に形成されている複数のダクト部材を繋ぎ止め接続してなる送風ダクトの筒方向（長手方向）にファスナエレメントを備えて、スライダの移動（摺動）によるファスナエレメントの係合または分離によって吹出し口の開口位置やその開口面積を可変し得るように形成されている吹出し装置が知られている（例えば、特許文献４などを参照）
【先行技術文献】
【特許文献】
【０００５】
【特許文献１】特開平３−４５８５２号公報
【特許文献２】特開平６−２１３５０３号公報
【特許文献３】特開平８−２２６７３８号公報
【特許文献４】特許第４６７７３８９号公報
【発明の概要】
【発明が解決しようとする課題】
【０００６】
ところで、特許文献１〜特許文献３に記載の従来技術では、送風ダクトが繊維素材から形成されているため軽量で取り扱いが容易なことから、例えば、冷蔵倉庫の庫内天井に設置するなどの作業において有効であるという利点を有する。
しかしながら、この従来技術では、庫内天井に沿わせてその略全長（例えば、四角四面の庫内において対向する両壁間）にわたり設置される送風ダクトは、設置に応じた長さにて１本物（一体物）として形成されている。そのために、例えば、フォークリフトによって被保管物を、図１に示すように、庫内高く積み上げて保管する作業中に送風ダクトに引っ掛けてダクトの一部が破損してしまった場合や長期使用においてダクトの一部が破損してしまった場合などには、ダクト自体を庫内天井から取り外して破損個所を修復するか、修復が困難であるときには新規のダクトに交換するなど、いずれにせよ多大な手間と労力がかかるダクト全体の脱着作業を余儀なくされものであった。また、新規ダクトに交換した場合にはコストが嵩むなどの問題になる。
【０００７】
一方、特許文献４に記載の従来技術では、複数のダクト部材を繋ぎ止め接続して庫内天井に送風ダクトを設置する構成を採用していることで、前記したように、ダクトの一部が破損した場合には破損したところのダクト部材のみを取り外して破損個所の修復や新規のダクト部材と交換することで対応することができるために、手間とコストを抑えることができるという利点がある。
しかしながら、修復が無理で送風ダクトの一区間を形成するダクト部材のみを新規のダクトに交換した場合でも修復による部分的な対応が可能な場合に比べてコストが嵩むものであり、特に、庫内天井に数十本から数百本の送風ダクトの設置が必要となる大型冷蔵倉庫を取り扱う低温貯蔵施設などでは施設管理として最も重要視される冷却設備の維持管理に掛かるコストのさらになる負担軽減が切望されている。
【０００８】
また、低温貯蔵施設では、被保管物の保管増加を踏まえて施設の規模拡大を行うケースがある。この場合、既設倉庫との隣接地や別の場所に新たに建設するケースがあるが、建設コストなどを考慮して既設倉庫の一面壁（例えば、図１の紙面右側の倉庫壁）を取り除いて増設するケースが多い。
このようにして施設の規模拡大が行われた場合などにおいてその規模拡大に合わせてダクトを延長するとき、特許文献３に記載の従来技術では、送風ダクトの最後尾（ダクト最終端）側において繋ぎ止め接続されるダクト部材自体を全て取り外して別途新規のダクト部材に交換することが余儀なくされる。
すなわち、従来技術では、送風ダクトの最後尾に繋ぎ止め接続されるダクト部材は、同文献３の図１に符号１１にて示され、明細書中段落番号００１３において記載されているように、先端部１１が閉鎖された袋状に形成されているために、最後尾に接続されている既存のダクト部材自体を取り外さない限り施設の規模拡大に合わせて送風ダクトを延長することができないものとなっていた。
【０００９】
そこで、本発明は、このような問題を解消することを課題に創案されたものである。すなわち、軽量で室内天井への設置が有効で、一部破損などに対する修復対応にも有効でありながら、冷蔵施設の管理維持コストのさらになる軽減を可能にすること、また、冷蔵施設などの規模拡大に伴うダクト延長に対しても有効な送風ダクトを提供すること、などが本発明の目的である。
【課題を解決するための手段】
【００１０】
前記課題を解決するために、本発明に係る送風ダクトでは少なくとも以下の構成を具備している。
すなわち、本発明では、空調ユニットからの空調流の吹出し口を備えて室内天井に設置される繊維製の送風ダクトであって、
非通気性の２枚の帯状シート地の長手方向両辺縁同士を挟み込み接合することで形成される単数のダクト部材を、前記室内天井に沿わせて複数組を繋ぎ止め接続することで構成されることを特徴とする。
【００１１】
ここで、前記帯状シート地は、樹脂系のコート加工を施してなる上部シート地と下部シート地とからなり、前記下部シート地は、前記上部シート地の帯幅よりも幅広に形成されて下方に略弓なり形状と成して前記ダクト部材が断面視で略三日月筒状に形成される構成を採用することが好適なものとなる。
【００１２】
また、前記ダクト部材は、端部開口縁に係脱自在な係着手段を備えて複数組が連結・分離可能に繋ぎ止め接続されるように形成されているとともに、ダクト最終端における端部開口が前記係着手段により着脱可能に取り付けられるダクト終端蓋によって閉蓋されるように形成されていること、また、前記ダクト部材は、長手方向に吹出し口を備えるとともに、該吹出し口をその長手方向に区分された複数の開閉蓋により開閉可能と成して、該開閉蓋の選択取り外しによって前記吹出し口をその長手方向の選択区間において開口するように形成されていること、などの構成を採用することが好適なものとなる。
【発明の効果】
【００１３】
本発明によれば、２枚の帯状シート地である上部シート地と下部シート地とから形成してなる単数のダクト部材を複数組繋ぎ止め接続することで、空調ユニットからの空調流を室内に吹き出す送風ダクトを室内天井に沿わせて設置するようにしたことで、室内天井への送風ダクトの設置が容易で有効である。つまり、ダクト部材が繊維素材から形成されている故に軽量であるために、室内天井への設置が容易で、しかも、破れなどの破損を来たした場合には単数のダクト部材単位で破損個所を修復することができることは勿論、縫製などによる修復が困難な場合でも、破損したところのダクト部材単位で新規に交換することなく、ダクト部材を形成する上部シート地または下部シート地の破損している一方側のシート地のみを交換することで修復に対応させることができる。
これにより、例えば、冷蔵倉庫などの低温貯蔵施設などにおいて、施設管理として最も重要視される冷却設備の維持管理に掛かる管理コストなどの負担軽減を図ることができるなどの利点が期待できる。
【００１４】
また、送風ダクトを繋ぎ止め構成する単数のダクト部材は、長手方向に複数に区分されて開閉蓋により個々に開閉可能とする吹出し口を備えていることで、空調ユニットから圧送される空調流、例えば、冷気の吹出し位置とその吹出し範囲および面積を、被保管物の保管エリアに対応させた選択区間で任意に変更設定することができる。
【００１５】
また、例えば、被保管物の保管増加を踏まえて冷蔵倉庫の規模拡大を行う場合などにおいて、既設送風ダクトの取り外しなどを行うことなく、既設送風ダクトのダクト最終端のダクト部材の端部開口を閉鎖するダクト終端蓋を取り外すことで、送風ダクトを延長することができる。
すなわち、既設庫内の一面壁を取り除くなどによって倉庫を延長増設した場合、既設送風ダクトからダクト終端蓋を取り外すことで、既設送風ダクトの一部などを取り外すことなく、増設に応じて単数のダクト部材を順次に繋ぎ止め接続し、新たに延長する送風ダクトの設置に対応することができる。これにより、既設送風ダクトを無駄にすることなく、増設庫内天井に沿わせたダクトの設置延長が可能になるため、倉庫増設に伴うダクト設置費用の負担軽減などが期待できる。
【００１６】
また、送風ダクトを構成するダクト部材が、断面視で略三日月筒状を成した扁平型であることで、室内天井に設置された状態において天井高さをより高く保つことができるため、有効である。つまり、送風ダクトの設置によって天井高さが大幅に低くなることによる圧迫感などを与えることや、冷蔵倉庫などにおいては被保管物をフォークリフトなどにより多段状に積み重ね保管する作業などの際に邪魔になり難いなど、有効である。
【図面の簡単な説明】
【００１７】
【図１】本発明の実施形態に係る送風ダクトが適用された冷蔵倉庫の一例を示す説明図である。
【図２】同冷蔵倉庫の一部を拡大して示す説明図である。
【図３】図２のＩＩＩ−ＩＩＩ線縦断面図である。
【図４】図２のＩＶ−ＩＶ線縦断面図である。
【図５】ダクト部材を示す概略斜視図である。
【図６】同ダクト部材を分解して示す概略斜視図である。
【図７】同ダクト部材の吹出し口を開閉する開閉蓋を示す斜視図である。
【図８】同ダクト部材の端部開口を閉鎖するダクト終端蓋を示す斜視図である。
【発明を実施するための形態】
【００１８】
以下、本発明の実施形態について、適宜図面を参照しながら詳細に説明する。
図１は、本発明の実施形態に係る送風ダクトが適用された冷蔵倉庫の一例を示す説明図であり、図２は、同冷蔵倉庫の一部を拡大して示す説明図であり、図３および図４は、縦断面図である。
【００１９】
≪送風ダクトの説明≫
送風ダクトＡは、図１に示すように、そのダクト始端側が空調ユニットである冷却ユニットＢに接続ダクトＣを介して接続されて室内天井である冷蔵倉庫Ｄの庫内天井ｄに吊りボルト２０ａ、ナット２０ｂからなる吊り手段２０によって吊下げ設置されて、冷却ユニットＢから圧送される空調流である冷気Ｋを吹出し口２から庫内に吹き出すようになっている。
この送風ダクトＡは、繊維素材からなる単数のダクト部材１を複数組繋ぎ止め接続することで構成されて、直線的、または、平面視で略Ｔ字形やＬ字形などの種々の設置形態にて庫内天井ｄに吊下げ設置されるものである。
【００２０】
≪ダクト部材の説明≫
図５および図６は、ダクト部材を示す概略斜視図である。ここでは、図１〜図４を適宜参照しながら説明する。
ダクト部材１は、図１および図２に示すように、複数組を繋ぎ止め接続することによって冷蔵倉庫Ｄの庫内広さなどに応じた長さの送風ダクトＡを庫内天井ｄに沿わせて設置構成する一方で、送風ダクトＡの一部が破けるなどの破損を来たした際には、破損したところの単数毎の取り外し、取り付けなどによって修復を可能とするものである。
このダクト部材１は、図５および図６に示すように、上部シート地１ａと下部シート地１ｂとの２枚の帯状シート地の長手方向両辺縁同士を接合部材３によって上下から挟み込み接合することで、所望のダクト断面積を有する筒状に形成されるものである。
【００２１】
上部シート地１ａおよび下部シート地１ｂは、非通気性の繊維素材（織布）、例えば、テント倉庫や運送トラック幌用などに使用されているテント生地によって所望の帯幅と長さ（例えば、４〜６ｍ程度）を有する帯状に截断形成される。
テント生地は、生地表面に樹脂系のコート加工、例えば、フッ素樹脂コート加工、吸水防止加工、撥水加工、防炎加工などが施された非通気性の生地である。
【００２２】
≪上部シート地の説明≫
上部シート地１ａは、送風ダクト１のダクト幅に相当する帯幅（例えば、１〜２．５ｍ程度）に形成されるとともに、長手方向両辺縁に下部シート地１ｂとの挟み込み接合、そして、吊り手段２０の取付け用としてのボルト挿通孔４を長手方向数カ所に備えている。
また、上部シート地１ａの短手両辺縁（長手方向の前後両辺縁）には、図５および図６に示すように、係着手段であるファスナエレメント５が縫着により取り付けられている。これにより、単数のダクト部材１を複数組繋ぎ止め接続する際、各ダクト部材１の上部シート地1ａの短辺縁同士がファスナエレメント５によって接続・分離可能に接続されるようにしている。
【００２３】
≪下部シート地の説明≫
下部シート地１ｂは、接合部材３による上部シート地１ａの長手方向両辺縁との繋ぎ止め接合によって、図３および図４に示すように、下方に略弓なり状に垂れ下がり膨出するようにその帯幅を上部シート地１ａの帯幅よりも幅広に截断されるとともに、長手方向両辺縁における上部シート地１ａのボルト挿通孔４と対応する長手方向数カ所に同じくボルト挿通孔６を備えている。
また、下部シート地１ｂの短手両辺縁（長手方向の前後両辺縁）には、図５および図６に示すように、係着手段であるファスナエレメント７が縫着により取り付けられている。これにより、単数のダクト部材１を複数組繋ぎ止め接続する際、図１および図２に示すように、各ダクト部材１の下部シート地１ｂの短手縁同士がファスナエレメント７によって接続・分離可能に接続されるようにしている。
【００２４】
なお、図示を省略しているが、冷却ユニットＢに接続ダクトＣを介して接続される送風ダクトＡの始端側のダクト部材１を形成する上部シート地１ａおよび下部シート地１ｂにおいて、接続ダクトＣに止めバンドなどの接続部材によって接続される短手縁側においてはファスナエレメント５，７を備えず、接続部材による接続に対応させた形態などに形成されている。
【００２５】
また、下部シート地１ｂは、図６に示すように、上部シート地１ａとの重ね接合代（接合縁幅）８を残して長手方向両辺縁側に空調流である冷気Ｋを吹き出させるための吹出し口２をそれぞれ備えている。
【００２６】
≪吹出し口の説明≫
吹出し口２は、図２、図５および図６に示すように、下部シート地１ｂの長手方向に適宜の開口長さにて複数に区分（図示例では、６区分）されてダクト部材１のダクト両側に形成される。そして、ダクト両側の各吹出し口２の開口縁には係着手段である面ファスナ（商標登録：マジックテープ）の雄側ファスナ９ａを縫着などにより取り付けている。これにより、雌側ファスナ９ｂを備えた後記の開閉蓋１０によって、図１および図２に示すように、吹出し口２を個々に閉じるように形成されている。
【００２７】
なお、図示を省略しているが、各吹出し口２の開口縁にはその横長開口形状を定形、つまり、適度の可撓性を有するテント生地からなる下部シート地１ｂ自体の自重などによって開口形状が崩れないように縁取りやその他の手法（例えば、開口形状を定形保持するように通気抵抗の少ない荒目のネットを開口部に取り付けるなど）の工夫を必要に応じて施すことができる。
【００２８】
≪開閉蓋の説明≫
図７は、開閉蓋を示す斜視図である。
吹出し口２を開閉する開閉蓋１０は、下部シート地１ｂと同じテント生地など、その他の非通気性の繊維素材によって各吹出し口２の開口形状と同形にて一回りほど大きめに截断形成され、その周囲各辺縁に沿わせて雌側ファスナ９ｂを縫着などによって取り付けている。これにより、開閉蓋１０は、雄側ファスナ９ａを開口縁表面に備えている各吹出し口２に着脱可能に取り付けられて、図１および図２に示すように、各吹出し口２を被保管物Ｍの庫内保管エリアなどに応じて選択区間において開くなどによって送風ダクトＡからの庫内への冷気Ｋの吹出し位置の設定とその吹出し範囲などを選択的に可変し得るようにしている。
【００２９】
そして、このように形成されている上部シート地１ａと下部シート地１ｂの長手方向両辺縁同士を挟み込み接合する接合部材３は、両辺縁同士を密接に挟み込み接合すると同時に、ダクト部材１をその全長にわたり水平に保つなどのダクト定形保持部材としての役目を成す。
この接合部材３は、図３および図４、図６に示すように、Ｌ型アングル部材３ａと、押えバー部材３ｂとの２部材からなる。
Ｌ型アングル部材３ａおよび押えバー部材３ｂは、適宜の剛性を有する金属材や合成樹脂材などの材料を用いて、上部シート地１ａおよび下部シート地１ｂと略同じ程度の長さに形成されている。そして、図６に示すように、上部シート地１ａおよび下部シート地１ｂの各ボルト挿通孔４、６と対応する長さ方向の数カ所にボルト挿通孔１１，１２を備えている。
【００３０】
しかして、上部シート地１ａと下部シート地１ｂとの長手方向両辺縁同士を重ね合わせ、当該両辺縁をＬ形アングル部材３ａと押えバー部材３ｂにて上下両面から挟み、長手方向数カ所において上下に連通（貫通）するボルト挿通孔４，６，１１，１２のうち、吊り手段２０の吊りボルト２０ａ、ナット２０ｂによる吊り取付け部を除くボルト挿通孔４，６，１１，１２間にわたりボルト１３を通してナット１４で挟み込み接合する。
これにより、図３〜図５に示すように、ダクト幅が幅広（例えば、１〜２ｍ程度）で、下部シート地１ｂが略弓なりに垂れ下がった断面視が略三日月筒状を成す扁平型に形成されるとともに、ダクト両側において長手方向に複数に区分されて開口する吹出し口２を備えた単数のダクト部材１が製作される。
【００３１】
また、本実施形態においては、図１および図２に示すように、送風ダクトＡのダクト最終端におけるダクト部材１の端部開口を開閉可能に閉蓋するダクト終端蓋１６を備えている。
【００３２】
図８は、ダクト終端蓋を示す斜視図である。
ダクト終端蓋１６は、上部シート地１ａおよび下部シート地１ｂと同じテント生地など、その他の非通気性の繊維素材によって、図８に示すように、ダクト部材１の断面視形状である略三日月筒状に截断形成され、その周囲縁に、上部シート地１ａ側のファスナエレメント５と、下部シート地１ｂ側のファスナエレメント７にそれぞれ係着されるファスナエレメント１７を備えている。これにより、ダクト終端蓋１６は、送風ダクト１のダクト最終端におけるダクト部材１の端部開口（図５に示すダクト部材１のいずれか一方の開口）に着脱可能に取り付けられて当該端部開口を閉鎖する。
【００３３】
［作用説明］
つぎに、上部シート地１ａと下部シート地１ｂとから筒状に形成される単数のダクト部材１を複数組繋ぎ止め接続することで構成される本実施形態に係る送風ダクトＡの設置と使用について簡単に説明する。ここでは、図１に示す冷蔵倉庫Ｄの庫内天井ｄに送風ダクトＡを吊下げ設置する設置形態を一例に挙げて説明する。
単数のダクト部材１を順次に繋ぎ止め接続するとともに吊り手段２０を用いて、図１に示すように、冷蔵倉庫Ｄの庫内天井ｄに沿わせて送風ダクトＡを吊下げ設置する。
このとき、冷却ユニットＢに接続されている接続ダクトＣに対するダクト部材１の接続は、例えば、前記した止めバンドなどの接続部材によってダクト部材１の端部開口側（ファスナエレメント５，７が備えられていない上部シート地１ａおよび下部シート地１ｂの短手辺縁側）を接続する。そして、これ以降からダクト終端側に至る各ダクト部材１においては、上部シート地１ａおよび下部シート地１ｂの短手両辺縁にそれぞれ備えられているファスナエレメント５，７による上部シート地１ａ同士および下部シート地１ｂ同士のそれぞれの繋ぎ止め接続によって行う。
また、ダクト始端側からダクト終端側へと順次に繋ぎ止め接続される各ダクト部材１を、庫内天井ｄから吊り下げられて要所に配置される吊り手段２０の吊りボルト２０ａへのナット２０ｂの取り付けによって吊下げ支持するとともに、ダクト最終端（図１の紙面右側）において開口するダクト部材１の端部開口にファスナエレメント５，７およびファスナエレメント１７によりダクト終端蓋１６を取り付ける。
これにより、単数のダクト部材１を複数組繋ぎ止め接続する一連の設置作業が終了し、図１に示す冷蔵倉庫Ｄの庫内天井ｄに沿わせて送風ダクトＡを吊下げ設置することができる。
【００３４】
また、図示を省略しているが、送風ダクトＡのダクト幅を定形保持し得るように、各ダクト部材１の両側接合部材３（Ｌ字アングル材３ａ）間にわたるダクト幅方向に枠材などを架け渡し取り付けることができる。例えば、吊りボルト２０ａの取付け部位に位置させて枠材を取り付けることができる。これにより、枠材は、送風ダクトＡのダクト幅を保持すると同時に、庫内天井ｄから垂れ下がる両側の吊りボルト２０ａをも平行に保持する。
【００３５】
そして、図１に示すように、多段状に積み重ね保管されている被保管物Ｍの庫内保管エリアにおいてより多くの冷気Ｎを吹き出させるときには、当該保管エリア区間に位置する吹出し口２を閉じる開閉蓋１０を取り外すことによって吹出し口２を保管エリアに対応させた選択区間（選択エリア）において開口し、被保管物Ｍに対してより多くの冷気を吹き出し送ることができる。
つまり、保管エリアを除く、例えば、庫内通路に位置する吹出し口２などは閉じることによって、冷却ユニットＢから送風ダクトＡに圧送されてくる冷気の無駄をなくし、図２に一点鎖線で示すように、必要とする被保管物Ｍに対してより多くの冷気Ｋを有効に吹き出し送ることができるという吹出し位置の設定とその吹出し範囲を、被保管物Ｍの保管エリアに対応させた選択区間で任意に行うことができる。
【００３６】
また、被保管物Ｍの保管増加を踏まえて冷蔵倉庫Ｂの規模拡大を行う場合、例えば、図１に示す既設庫内の一面壁（図１の紙面右側の倉庫壁）を取り除いて倉庫を増設延長した後に、既設の送風ダクトＡの取り外しなどを一切行うことなく、既設の送風ダクトＡのダクト終端側のダクト部材１の端部開口を閉鎖しているダクト終端蓋１６を取り外すことで、ダクト延長が可能となる。
すなわち、ダクト終端蓋１６を取り外すことで、新たに延長する送風ダクトＡの長さに応じた数のダクト部材１を前記詳述の設置作業により順次に繋ぎ止め接続することで、増設庫内に対応させることができる。
これにより、破れるなどの破損を来たしている以外においては既設の送風ダクトＡを一切無駄にすることなく、増設庫内の天井に沿わせたダクト延長設置が可能であるため、増設に伴う送風ダクトＡの設置費用を抑えることができるなどの負担軽減を図ることができる。また、取り外しておいたダクト終端蓋１６は、増設延長された送風ダクトＡのダクト終端側におけるダクト部材１の端部開口を取り付けて当該端部開口を閉鎖することができる。
【００３７】
また、送風ダクトＡの一部が破れるなどの破損、例えば、フォークリフトによって被保管物Ｍを、図１に示すように、庫内高く積み上げて保管する作業中に送風ダクトＡに引っ掛けてダクトの一部が破損してしまった場合や長期使用における繊維劣化などによってダクトの一部が破損してしまった場合などには、破損個所の送風ダクトＡ部分を接続構成するダクト部材１のみを単数毎で取り外すなどによって破損個所の修復に対応させることができる。
しかも、縫製などによる修復が困難である場合には、接合部材３を取り外し、ダクト部材１の上部シート地１ａと下部シート地１ｂとを分離して破損しているシート地側のみ、特に、積み上げ作業中に引っ掛けなどによって破損するおそれがある下部シート地１ｂ側のみを新規のものに交換することで修復に対応させることができる。つまり、破損していない上部シート地１ａ側を修復が困難な下部シート部１ｂとともに廃棄することなく、上部シート地１ａ側を再利用してダクト部材１の修復に対応させることができる。
これにより、冷蔵倉庫Ｄの施設管理として最も重要視される冷却設備の維持管理に掛かる管理コストなどの負担軽減を図ることができる。
【００３８】
以上、本発明の実施形態の具体例を詳細に説明したが、前記詳述の実施形態は例示にすぎなく、特許請求の範囲を限定するものではない。特許請求の範囲に記載の技術事項には、本発明の要旨を逸脱しない範囲で設計変更などしたものであっても含まれるものである。
例えば、本発明に係る送風ダクトＡは、被保管物Ｍを低温貯蔵状態で保管する大型冷蔵倉庫、冷蔵保管庫、そして低温食品物流センターなどの低温貯蔵施設以外に、大型店舗・商業施設やスポーツ施設などの室内空調用として適用させることができる。
【００３９】
また、吹出し口２は、ダクト部材１のダクト両側のみならず、断面視で略三日月筒状の球面数カ所に備えることができる。さらに、ダクト部材１を吊り手段２０を使用せずに、他の取付け手段（取付け金具）を用いるなどによって室内天井に直接取り付けるようにしてもよい。
【００４０】
また、室内天井に沿わせたダクト部材１の繋ぎ止め接続を、ファスナエレメント５，７に代えて、面ファスナやその他の係着手段を採用することができる。つまり、ダクト部材１の接続と、破れなどの破損を来たした際などにおいて単数毎の分離を可能とする係着手段であればよい。
【００４１】
また、ファスナエレメント５および７の係着によって単数のダクト部材１を繋ぎ止め接続した状態で、ファスナエレメント５，７を外から覆うように、ダクト部材１の上部シート地１ａおよび下部シート地１ｂの短手両辺縁のいずれか一方縁側に布製のフラップを備えることができる。この場合、フラップと他方縁側に面ファスナを備えて、フラップの解放縁側が捲り上がらないように面ファスナで係脱自在に止めるようにするとよい。
【符号の説明】
【００４２】
Ａ      送風ダクト
１      ダクト部材
１ａ    上部シート地（帯状シート地）
１ｂ    下部シート地（帯状シート地）
２      吹出し口
３      接合部材
５，７，１７  ファスナエレメント（係着手段）
９ａ    雄側ファスナ（係着手段）
９ｂ    雌側ファスナ（係着手段）
１０    開閉蓋
１６    ダクト終端蓋
Ｂ      冷却ユニット（空調ユニット）
Ｄ      冷蔵倉庫
ｄ      庫内天井（室内天井）
Ｋ      冷気（空調流）
【図１】
2013160452.tif 000003
【図２】
2013160452.tif 000004
【図３】
2013160452.tif 000005
【図４】
2013160452.tif 000006
【図５】
2013160452.tif 000007
【図６】
2013160452.tif 000008
【図７】
2013160452.tif 000009
【図８】
2013160452.tif 000010